(57)【特許請求の範囲】
【請求項１】
左右の側板，背板及び底板とから成る上方及び前方が開放した箱体と、
上側に厨房用機器のための第一の収納スペース及び下側に第二の収納スペースを画成するように、この箱体の中段に設けられていて、その後端縁が背板の手前に位置する中底板と、
中底板の後端にて第二の収納スペースを、その後方の第一の収納スペースに連続した配管スペースに対して閉塞する区画板とを含んでおり、
上記区画板が、点検口を備えていることを特徴とする厨房家具用キャビネット。
【請求項２】
厨房用機器を引き出し式の食器洗浄乾燥機としたことを特徴とする請求項１記載の厨房家具用キャビネット。
【請求項３】
区画板の前方の第二の収納スペースほぼ全体が、前方に向かって引き出し可能な引出しによって構成されていることを特徴とする請求項１又は請求項２記載の厨房家具用キャビネット。
【請求項４】
中底板の前縁から下方に延びて、引出しの前板との間の間隙を閉鎖する化粧板を備えていることを特徴とする請求項３記載の厨房家具用キャビネット。
【請求項５】
化粧板が、厨房家具用キャビネットに対して着脱可能に取り付けられていることを特徴とする請求項４記載の厨房家具用キャビネット。
【請求項６】
化粧板が、厨房家具用キャビネットに対して揺動可能に取り付けられていることを特徴とする請求項４記載の厨房家具用キャビネット。
【請求項７】
引出しが、第二の収納スペース内に収容されると共に、その前板が、下端付近にて蹴込み部を備えていることを特徴とする請求項２乃至６の何れかに記載の厨房家具用キャビネット。
【発明の詳細な説明】
【０００１】
【発明の属する技術分野】
本発明は、例えば所謂システムキッチンや流し台等の厨房家具用キャビネットに関し、特に食器洗浄乾燥機等の厨房機器の組み込み及び配管と一般収納を行なうためのキャビネット構造に関するものである。
【０００２】
【従来の技術】
従来、所謂システムキッチンにおいては、例えば図８に示すように、システムキッチン１のベースキャビネット２に対して、食器洗浄乾燥機３を組み入れることが一般化している。
この場合、食器洗浄乾燥機３の組み込み位置が低いため、食器洗浄乾燥機３の扉３ａを開いて、特に食器洗浄乾燥機３内の下段の網篭に対して食器の出し入れを行なう場合、使用者がかがむ等の無理な姿勢をとることになると共に、食器を移動する距離が比較的長くなってしまい、作業性が悪く使いづらかった。また場合によっては食器から垂れる水滴が厨房の床面に落ちてしまう等の問題があった。
【０００３】
これに対して、図９乃至図１１に示すように、食器洗浄乾燥機３のための棚板４を有する載置台をベースキャビネット２内に設けて、食器洗浄乾燥機３の組み込み高さを上げ、この棚板４の下方のスペースは引出し５のためのスペースとして利用し、更に床面付近の台輪２ａのスペースで食器洗浄乾燥機３の給排水用の配管３ｂを連結する構成が採られていた。
【０００４】
【発明が解決しようとする課題】
しかしながら、このような食器洗浄乾燥機３の配置では、食器洗浄乾燥機３の配管３ｂは台輪２ａ内に配管されるようになっているので、ベースキャビネット２の引出し５のためのスペースが小さくなってしまう。
さらに、引出し５のためのスペースは、配管連結やメンテナンスのための作業として利用するため、上記配管３ｂを、できるだけ台輪手前側の入口付近に配設する必要があり、配管が長くなり、コストが高くなるという問題があった。また、引出しのためのスペースである作業口が小さいため作業がしづらいという問題があった。
【０００５】
本発明は、以上の点に鑑み、キャビネット下方に設けた引出しのスペースを大きく確保し、これによって配管連結の作業性を向上し、しかも食器洗浄乾燥機等の機器のための配管の長さをできるだけ短くするようにした、厨房家具用キャビネットを提供することを目的としている。また本発明は、機器の組み込みキャビネットでありながら、引出しのスペースを大きく確保することによって収納性を向上させることを目的としたものである。
【０００６】
【課題を解決するための手段】
上記目的は、本発明によれば、左右の側板，背板及び底板とから成る上方及び前方が開放した箱体と、上側に厨房用機器のための第一の収納スペース及び下側に第二の収納スペースを画成するように、この箱体の中段に設けられていて、その後端縁が背板の手前に位置する中底板と、中底板の後端にて第二の収納スペースを、その後方の第一の収納スペースに連続した配管スペースに対して閉塞する区画板とを含んでおり、上記区画板が、開閉可能な点検口を備えている厨房家具用キャビネットにより、達成される。
【０００７】
本発明による厨房家具用キャビネット内への厨房用機器としては、引き出し式の食器洗浄乾燥機が好ましい。
本発明による厨房家具用キャビネットは、好ましくは、上記区画板の前方の第二の収納スペース内に収納されていて、その第二の収納スペースほぼ全体が、前方に向かって引き出し可能な引出しによって構成されている。
【０００８】
本発明による厨房家具用キャビネットは、好ましくは、上記中底板の前縁から下方に延びて、引出しの前板との間の間隙を閉鎖する化粧板を備えている。
【０００９】
本発明による厨房家具用キャビネットは、好ましくは、上記化粧板が、厨房家具用キャビネットの前縁に対して着脱可能に、または揺動可能に取り付けられている。
【００１０】
本発明による厨房家具用キャビネットは、好ましくは、上記引出しが、第二の収納スペース内に収容されると共に、その前板が、下端付近にて蹴込み部を備えている。
【００１１】
上記構成によれば、配管スペースが、キャビネットの中底板の下方で且つ区画板の後方に画成されており、区画板に設けられた点検口から配管スペース内の配管の接続部のメンテナンスを行なうことができる。従って、区画板の前側に大きな収納スペースが確保され得ることになる。
また、配管スペースがキャビネットの後方に画成されていることから、配管の長さが比較的短くてすみ、無駄な配管の引回しが不要になると共に、本キャビネット内において、給水管，排水管及び電源コンセントの接続を行なうことができるので、接続作業が容易に行なわれ得る。
【００１２】
好ましくは厨房用機器とし、引き出し式の食器洗浄乾燥機として構成されている。
上記区画板の前方の第二の収納スペース内に収容されていて、前方に向かって引き出し可能な引出しを備えている場合には、比較的大きな第二の収納スペースを引出しスペースとして使用することができるので、引出しが比較的大型に構成され得る。従って、この引出しにより、比較的大容量の収納容積が確保され得ることになる。
【００１３】
上記中底板の前縁から下方に延びて、引出しの前板との間の間隙を閉鎖する化粧板を備えている場合には、任意の高さに設計されるキャビネット高さに対して、規格サイズの引出しを使用することにより、中底板の前縁と引出しの前板の上縁との間の間隙が、この化粧板によって閉じられ、見栄えが向上し、また厨房用機器のための第一の収納スペースの大小に応じて、化粧板の大きさを変えることで対応でき、引出しあるいは食器洗浄乾燥機の扉を造り変える必要がない。
【００１４】
上記化粧板が、中底板の前縁に対して着脱可能に、または揺動可能に取り付けられている場合には、引出しを抜いた状態で、区画板の点検口から配管スペース内の配管の接続部のメンテナンスを行なう際に、第二の収納スペースの前面が完全に開放するので、メンテナンス作業が容易に行なわれ得ることになる。
【００１５】
上記引出しが、第二の収納スペース内に収容されると共に、その前板が、下端付近にて蹴込み部を備えている場合には、従来のキャビネットにおいて台輪に設けられていた蹴込み部が引出しに備えられるので、使用者がシステムキッチンを使用する際に、その足先をこの蹴込み部内に入れることにより、よりキャビネットに接近して、楽に料理等の作業を行なうことができ、引出しを引き出した状態で、区画板の点検口から配管スペース内の配管の接続部のメンテナンスを行なう際に、第二の収納スペースの前面が完全に開放するので、メンテナンス作業が容易に行なわれ得ることになる。
【００１６】
【発明の実施の形態】
以下、この発明の好適な実施の形態を図１乃至図７を参照しながら、詳細に説明する。
尚、以下に述べる実施の形態は、本発明の好適な具体例であるから、技術的に好ましい種々の限定が付されているが、本発明は、以下の説明において特に本発明を限定する旨の記載がない限り、これらの態様に限られるものではない。
【００１７】
図１は、本発明による厨房家具用キャビネットの一実施の形態を組み込んだシステムキッチンの構成を示している。
図１において、システムキッチン１０は、シンクＳ，加熱調理器Ｇを組み込んだ天板Ｔを備えた長尺の複合調理家具Ｆとして構成されている。
【００１８】
この複合調理家具Ｆを構成するベースキャビネットＫは、底板，左右の側板及び背板により上面及び前面が開放した複数個（図示の場合、４個）の各種キャビネットを構成する箱体をＩ型に配置し連結することにより構成されており、これらのベースキャビネットＫの上面を一つの共通の天板Ｔで覆うと共に、各箱体の前面を覆う前板を備えた引出しを複数段配置している。
尚、各箱体の側板の前面側の下部は、所謂蹴込み部の高さ及び奥行きに合わせて切除されている。
【００１９】
ここで、複数個のキャビネットは、図示の場合、左側から順に、それぞれコンロ用キャビネット１４，引出しキャビネット１５，シンク用キャビネット１６，調理台用キャビネット２０である。
コンロ用キャビネット１４は、上面にコンロ（加熱調理器Ｇ）を備えると共に、三段の引出し１４ａ，１４ｂ，１４ｃを備えており、最上段の引出し１４ａは、コンロ１４ｄを避けて、幅が狭く形成されている。
引出しキャビネット１５は、三段の引出し１５ａ，１５ｂ，１５ｃを備えている。
シンク用キャビネット１６は、公知の構成であって、上面にシンクＳを備えると共に、二段の引出し１６ａ，１６ｂを備えており、上段の引出し１６ａの前板は、シンクＳの前端を隠すための補助幕板を兼ねている。
【００２０】
これに対して、上記調理台用キャビネット２０は、本発明を適用して構成されたものであって、図２に示すように、上部には、ビルトイン機器としての食器洗浄乾燥機Ｗが組み込まれている。
尚、食器洗浄乾燥機Ｗは、調理台用キャビネット２０から手前に引き出した状態（図６参照）にて、上から食器を出し入れすることができるように構成されており、シンクＳで洗浄した食器を食器洗浄乾燥機Ｗ内に出し入れする際に、適宜の高さに配設されている。
【００２１】
ここで、上記調理台用キャビネット２０は、図３乃至図５に示すように、構成されている。
図３乃至図５において、調理台用キャビネット２０は、底板２１，左右の側板２２及び背板２３から成る箱体２４と、この箱体の中段に設けられた中底板２５と、配管スペースを画成する区画板２６とを含んでいる。
【００２２】
上記中底板２５は、その後端縁が、背板２３の手前に位置するように配設されており、その上方に食器洗浄乾燥機Ｗの専用（第一の）収納スペース２５ａと、その下方に後述する引出しのための第二の収納スペース２５ｂとを画成すると共に、その後端縁と背板２３との間に間隙ｄを形成している。
【００２３】
上記区画板２６は、中底板２５の後端から下方に延びることにより、その後方に配管スペース２７を画成していると共に、開閉可能な点検口２６ａを備えている。
また、上記点検口２６ａは、図示の場合、蓋２６ｂが着脱可能に螺着されることにより、通常は閉じられている。
【００２４】
上記配管スペース２７は、上記間隙ｄを介して、専用（第一の）収納スペース２５ａと連続するようになっていると共に、配管スペース２７には、給水管２７ａ及び排水管２７ｂ（図３参照）そして必要であれば電源コンセント（図示せず）が設けられており、それぞれ食器洗浄乾燥機Ｗの給水管Ｗ１，排水管Ｗ２及び電源コードＷ３が接続されるようになっている。
尚、図示の場合には、背板２３の下部（中底板２５より下方の部分）が切り欠かれており、厨房の壁面に設けられた電源コンセントを利用することも可能である。
【００２５】
上記第二の収納スペース２５ｂには、引出し２８が前方に向かって引出し可能に収容されている。
引出し２８は、図示の場合、所謂台輪の部分まで構成されており、その前板２８ａは、底板２１に近い下部を凹状に形成することによって、所謂蹴込み部２８ｂを備え、合成樹脂によって一体成形されている。これによって、第二の収納スペース２５ｂほぼ全体を引出しとして構成している。
【００２６】
ここで、引出し２８は、規格品として構成されており、その前板２８ａの幅及び高さは一定である。
このため、引出し２８の前板２８ａの上縁と中底板２５の前縁との間の間隙を閉鎖するために、中底板２５の前縁から下方に延びる化粧板２９が設けられている。
この化粧板２９は、上縁が、中底板２５の前縁あるいはキャビネットに対して、着脱可能あるいは図７に示すように前方に向かって揺動可能に取り付けられている。
また、上方の第一の収納スペース２５ａに収納される食器洗浄乾燥機Ｗの作業性を良くすべく、食器洗浄乾燥機Ｗが小さい場合には、中底板２５の位置を上方に取り付け、この化粧板２９の大きさを大きいものと変えて使用することにより、規格品として構成された引出し２８あるいは食器洗浄乾燥機を造り変えることなく使用できる。
【００２７】
本発明の実施の形態によるシステムキッチン１０は、以上のように構成されており、コンロ用キャビネット１４，引出しキャビネット１５，シンク用キャビネット１６については、従来と同様に据付けられ使用される。
また、調理台用キャビネット２０は、所定位置に配置された後に、引出し２８を取り外すと共に、化粧板２９が取り外され、または前に揺動した状態にて、さらに区画板２６の蓋２６ｂが取り外された状態で、専用（第一の）収納スペース２５ａに食器洗浄乾燥機Ｗが取り付けられる。その際、食器洗浄乾燥機Ｗの給水管Ｗ１，排水管Ｗ２及び電源コードＷ３が図３に示すように、配管スペース２７内に露出している給水管２７ａ，排水管２７ｂそして図示しない電源コンセントに接続される。
このようにして、食器洗浄乾燥機Ｗの接続作業は、本調理台用キャビネット２０内だけで行なわれることになり、容易に行なわれ得る。
その後、区画板２６の蓋２６ｂが点検口２６ａに取り付けられ、引出し２８が第二の収納スペース２５ｂ内に装着されることにより、調理台用キャビネット２０の据付けが完了する。
【００２８】
このようにして据付けられた調理台用キャビネット２０によれば、図６に示すように、食器洗浄乾燥機Ｗを引き出した状態にて、例えばシンクＳ内の食器が食器洗浄乾燥機Ｗ内に入れられ、また洗浄後の食器が食器洗浄乾燥機Ｗから取り出される。尚、食器洗浄及び乾燥は、食器洗浄乾燥機Ｗを図２に示すように収納した状態で行なわれる。
また、引出し２８内への各種物品の出し入れは、図７に示すように、引出し２８を引き出した状態で行なわれる。その際、化粧板２９が手前に揺動されることにより、引出し２８の内部への物品の出し入れが容易に行なわれ得る。
【００２９】
さらに、配管スペース２７における配管のメンテナンスを行なう場合には、先ず引出し２８が取り外されると共に、化粧板２９が取り外され、または手前に揺動され、さらに区画板２６の蓋２６ｂが取り外される。
この状態で、第二の収納スペース２５ｂから点検口２６ａを介して、配管スペース２７へのアクセスが行なわれ、配管のメンテナンス作業が行なわれる。この場合、第二の収納スペース２５ｂは、所謂台輪に制限されることなく、また化粧板２９が取り外され、または跳ね上げられた状態にあるので、点検口２６ａを介しての配管のメンテナンス作業が容易に行なわれ得る。
【００３０】
尚、上述した実施の形態においては、専用（第一の）収納スペース２５ａには、引き出した状態上方が開放した所謂トップオープンタイプの食器洗浄乾燥機Ｗが収容されているが、これに限らず、他のタイプ、例えば扉タイプの食器洗浄乾燥機Ｗを収容してもよく、さらに食器洗浄乾燥機でなく他の食器乾燥庫，炊飯器等の電源を必要とする各種厨房機器を収容してもよい。
【００３１】
【発明の効果】
以上述べたように、本発明による厨房家具用キャビネットによれば、配管スペースが、キャビネットの中底板の下方で且つ区画板の後方に画成されており、区画板に設けられた点検口から配管スペース内の配管の接続部のメンテナンスを行なうことができる。従って、区画板の前側に大きな収納スペースが確保され得ることになる。
また、配管スペースがキャビネットの後方に画成されていることから、配管の長さが比較的短くて済み、無駄な配管の引回しが不要になると共に、本キャビネット内において、給水管，排水管及び電源コンセントの接続を行なうことができるので、接続作業が容易に行なわれ得る。
そこで、食器洗浄乾燥機を組み入れる厨房家具用キャビネットに好適なものである。
【００３２】
上記区画板の前方の第二の収納スペース内に収容されていて、前方に向かって引き出し可能な引出しを備えている場合には、比較的大きな第二の収納スペースを引出しスペースとして使用することができるので、引出しが比較的大型に構成され得る。従って、この引出しにより、比較的大容量の収納容積が確保され得ることになる。
【００３３】
上記中底板の前縁から下方に延びて、引出しの前板との間の間隙を閉鎖する化粧板を備えている場合には、任意の高さに設計されるキャビネット高さに対して、規格サイズの引出しを使用することにより、中底板の前縁と引出しの前板の上縁との間の間隙が、この化粧板によって閉じられ、見栄えが向上し、また厨房用機器のための第一の収納スペースの大小に応じて、化粧板の大きさを変えることで対応でき、引出しを造り変える必要がない。
【００３４】
上記化粧板が、中底板の前縁に対して着脱可能に、または揺動可能に取り付けられている場合には、引出しを引き出した状態で、区画板の点検口から配管スペース内の配管の接続部のメンテナンスを行なう際に、第二の収納スペースの前面が完全に開放するので、メンテナンス作業が容易に行なわれ得ることになる。
【００３５】
上記引出しが、第二の収納スペース内に収容されると共に、その前板が、下端付近にて蹴込み部を備えている場合には、従来のキャビネットにおいて台輪に設けられていた蹴込み部が引出しに備えられるので、使用者がシステムキッチンを使用する際に、その足先をこの蹴込み部内に入れることにより、よりキャビネットに接近して、楽に料理等の作業を行なうことができ、引出しを引き出した状態で、区画板の点検口から配管スペース内の配管の接続部のメンテナンスを行なう際に、第二の収納スペースの前面が完全に開放するので、メンテナンス作業が容易に行なわれ得ることになる。
【００３６】
かくして、本発明によれば、キャビネット下方に設けた引出しのスペースを大きく確保し、これによって配管連結の作業性を向上し、しかも食器洗浄乾燥機等の機器のための配管の長さをできるだけ短くするようにした、厨房家具用キャビネットが提供され得、また本発明は、機器の組み込みキャビネットでありながら、引出しのスペースを大きく確保することによって収納性を向上した厨房家具用キャビネットが提供され得る。
【図面の簡単な説明】
【図１】本発明による厨房家具用キャビネットの一実施の形態を組み込んだシステムキッチンの構成を示す斜視図である。
【図２】本発明による厨房家具用キャビネットの一実施の形態の構成を示す斜視図である。
【図３】図２の厨房家具用キャビネットの後方から見た概略斜視図である。
【図４】図３の厨房家具用キャビネットから食器洗浄乾燥機を外した状態を示す分解斜視図である。
【図５】図２の厨房家具用キャビネットの概略断面図である。
【図６】図２の厨房家具用キャビネットの食器洗浄乾燥機を引き出した状態を示す斜視図である。
【図７】図２の厨房家具用キャビネットの引出しを引き出した状態を示す斜視図である。
【図８】従来のシステムキッチンの一例の構成を示す概略正面図である。
【図９】従来のシステムキッチンにおける食器洗浄乾燥機用のキャビネットの構成例を示す概略断面図である。
【図１０】図９のキャビネットにおける要部を示す正面図である。
【図１１】図９のキャビネットにおける要部を示す断面図である。
【符号の説明】
１０  システムキッチン
２０  調理台用キャビネット（厨房家具用キャビネット）
２１  底板
２２  側板
２３  背板
２４  箱体
２５  中底板
２６  区画板
２７  配管スペース
２８  引出し
２９  化粧板
【図１】
0003554677.tif 000002
【図２】
0003554677.tif 000003
【図３】
0003554677.tif 000004
【図４】
0003554677.tif 000005
【図５】
0003554677.tif 000006
【図６】
0003554677.tif 000007
【図７】
0003554677.tif 000008
【図８】
0003554677.tif 000009
【図９】
0003554677.tif 000010
【図１０】
0003554677.tif 000011
【図１１】
0003554677.tif 000012